(57)【要約】【課題】既設サッシのドア枠の下枠３を取り付けた状態のまま新しい下枠３を取り付け可能で、特に構造が簡単で施工も容易である。【解決手段】勝手口の土間１の屋外側に段差２を介して一段低い下段部１ａを設け、該下段部１ａに既設の下枠３が設けられた土間納まりのドア枠を有する勝手口のリフォーム方法であって、まず第１平坦部１３と第１平坦部１３から起立して起立部と起立部より室内側に延出する第２平坦部１４とを有するベース材１２を既設下枠３と土間１の上部に、第１平坦部１３を既設下枠３の上部に、第２平坦部１４を土間１の上部にそれぞれ配置し、その後、ベース材１２の上に新ドア枠を構成する新設下枠９を載置し、新設下枠９の下方に突出された垂下部１８をベース材１２の起立部に屋外側から当接させ、さらに新設下枠９とベース材１２とを上方からビスによって土間１に固着する。【選択図】図３
2009091817.tif 000002
【特許請求の範囲】
【請求項１】
勝手口の土間の屋外側に段差を介して一段低い下段部を設け、該下段部に既設の下枠が設けられた土間納まりのドア枠を有する勝手口のリフォーム方法であって、まず第１平坦部と第１平坦部から起立して起立部と起立部より室内側に延出する第２平坦部とを有するベース材を上記既設下枠と土間の上部に、上記第１平端部を上記既設下枠の上部に、第２平坦部を土間の上部にそれぞれ配置し、その後、上記ベース材の上に新ドア枠を構成する新設下枠を載置し、新設下枠の下方に突出された垂下部を上記ベース材の起立部に屋外側から当接させ、さらに上記新設下枠とベース材とを上方からビスによって土間に固着することを特徴とする勝手口のリフォーム方法。
【請求項２】
勝手口の土間の屋外側に段差を介して一段低い下段部を設け、該下段部に既設の下枠が設けられた土間納まりのドア枠を有する勝手口のリフォーム構造であって、上記既設下枠の平坦部の上面に取りつけられたベース材と、ベース材の上に取りつけられた新ドア枠を構成する新設下枠とを備え、上記ベース材は既設下枠上に取り付けられる第１平坦部と、第１平坦部から起立した起立部と、起立部より室内側に延出する第２平坦部とを有してなり、上記新設下枠は上記ベース材の上に載置され、かつ新設下枠の下方に突出された垂下部を上記ベース材の起立部に屋外側から当接させるとともに、上記新設下枠とベース材とを上方からビスによって土間に固着してなることを特徴とする勝手口のリフォーム構造。
【請求項３】
上記新設下枠は、下方に突出形成された釘打ち込み用フィンを除いて同じ構成の原下枠で、かつ上記釘打ち込み用フィンを中途部で折り取って残った部分を垂下部としたものであることを特徴とする、請求項１又は２に記載の勝手口のリフォーム方法又はその構造。
【請求項４】
上記ベース材の第２平坦部は既設下枠の上端と土間の上面に支持されてなることを特徴とする、請求項２又は３に記載の勝手口のリフォーム構造。
【請求項５】
上記新設下枠を直接ビスによって土間に固着することに代え、上記新設下枠を、該新設下枠の室内側に配置した化粧枠に係止し、該化粧枠を上記土間の段差よりも室内側のビスによる割れが生じない位置にビス止め固定してなることを特徴とする、請求項２〜３のいずれかに記載の勝手口のリフォーム構造。
【請求項６】
上記化粧枠が新設下枠の取付部材を兼ねることを特徴とする、請求項５に記載の勝手口のリフォーム構造。
【発明の詳細な説明】
【技術分野】
【０００１】
本発明は、勝手口に設けられた土間納まりのドア枠を有効に活用してリフォームする勝手口のリフォーム方法及びその構造に関するものである。
【背景技術】
【０００２】
勝手口ドアには土間納まりのドア枠とフロア納まりのドア枠とがあることが知られている。従前は土間納まりが一般的であったが、土間納まりのドア枠は、土間の屋外側に段差を介して一段低い下段部に下枠が設けられる構造になっている。ところが、最近は土間の使用頻度が少なくなり、フロア納まりが主流になっている。
【０００３】
ところで、既設サッシを新しいサッシにリフォームする場合、既設サッシを取り外して新しいサッシに付け替えることが考えられるが、既設サッシの取り外し作業には手間や時間や費用がかかるので煩わしい。そのため、既設サッシを窓開口部に取り付けた状態のまま新しいサッシを取り付ける改装サッシが知られている（特許文献１、２、３参照）。
【０００４】
これは、既設サッシが内付けサッシの場合、下枠については、その上部屋外側に取付部材を固定し、屋内側には倒れ防止部材を固定し、上記取付部材と倒れ防止部材に新設サッシを固定するように構成されている。この場合、取付部材の上に新設サッシの下枠を支持させ、取付部材の屋外側の垂直面に新設サッシの取付片をネジ止めしている。なお、取付片は釘打ちフィンとも呼ばれ、新旧に関わらずサッシの四周に面一になるように突設されているもので、窓開口部に木ネジで固定されるように構成されている。したがって、勝手口ドアについても、同様にすればよいように考えられる。
【０００５】
さらに、既設サッシの下枠に形成された障子の摺動案内レールを利用してその上にベース材を取り付け、さらにベース材の上に新設の下枠を取り付ける構成のリフォーム方法が提案されている（特開２００７‐６０９５８）。
【特許文献１】特開２００３−８２９４１号公報
【特許文献２】特開２００３−８２９４２号公報
【特許文献３】特開２００４−１２４４３６号公報
【発明の開示】
【発明が解決しようとする課題】
【０００６】
しかしながら、ドア枠の場合、引き戸サッシと異なり、摺動案内レールそのものが存在しないため、引き戸サッシと同様の手法を採用することはできない。
【０００７】
また、土間納まりは地面と同一高さに下枠が取り付けられているため、リフォームする際に、新ドア枠を構成する新設下枠の高さを必要以上に高くすることができない。新設下枠の室内側には化粧枠を取り付ける必要があるが、同じ理由により新設下枠に化粧枠を取り付けるのも困難であった。
【０００８】
本発明は、上記問題点を解消し、既設のサッシのドア枠の下枠を取り付けた状態のまま新しい下枠を取り付け可能で、特に構造が簡単で施工も容易な勝手口のリフォーム方法及びその構造を提供することをその課題とする。
【課題を解決するための手段】
【０００９】
前記課題を解決するため、請求項１に係る発明は、勝手口の土間の屋外側に段差を介して一段低い下段部を設け、該下段部に既設の下枠が設けられた土間納まりのドア枠を有する勝手口のリフォーム方法であって、まず第１平坦部と第１平坦部から起立して起立部と起立部より室内側に延出する第２平坦部とを有するベース材を上記既設下枠と土間の上部に、上記第１平端部を上記既設下枠の上部に、第２平坦部を土間の上部にそれぞれ配置し、その後、上記ベース材の上に新ドア枠を構成する新設下枠を載置し、新設下枠の下方に突出された垂下部を上記ベース材の起立部に屋外側から当接させ、さらに上記新設下枠とベース材とを上方からビスによって土間に固着することを特徴とする法。
【００１０】
請求項２に係る発明は、勝手口の土間の屋外側に段差を介して一段低い下段部を設け、該下段部に既設の下枠が設けられた土間納まりのドア枠を有する勝手口のリフォーム構造であって、上記既設下枠の平坦部の上面に取りつけられたベース材と、ベース材の上に取りつけられた新ドア枠を構成する新設下枠とを備え、上記ベース材は既設下枠上に取り付けられる第１平坦部と、第１平坦部から起立した起立部と、起立部より室内側に延出する第２平坦部とを有してなり、上記新設下枠は上記ベース材の上に載置され、かつ新設下枠の下方に突出された垂下部を上記ベース材の起立部に屋外側から当接させるとともに、上記新設下枠とベース材とを上方からビスによって土間に固着してなることを特徴とする。
【００１１】
請求項３に係る発明は、請求項１又は２において、上記新設下枠は、下方に突出形成された釘打ち込み用フィンを除いて同じ構成の原下枠で、かつ上記釘打ち込み用フィンを中途部で折り取って残った部分を垂下部としたものであることを特徴とする。
【００１２】
請求項４に係る発明は、請求項２又は３において、上記ベース材の第２平坦部は既設下枠の上端と土間の上面に支持されてなることを特徴とする。
【００１３】
請求項５に係る発明は、請求項上記新設下枠を直接ビスによって土間に固着することに代え、上記新設下枠を、該新設下枠の室内側に配置した化粧枠に係止し、該化粧枠を上記土間の段差よりも室内側のビスによる割れが生じない位置にビス止め固定してなることを特徴とする。
【００１４】
請求項６に係る発明は、請求項５において、上記化粧枠が新設下枠の取付部材を兼ねることを特徴とする。
【発明の効果】
【００１５】
請求項１及び請求項２に係る発明によれば、土間の段差を利用してベース材の第１平端部を既設下枠の上部に、第２平坦部を土間の上部にそれぞれ配置し、土間の低い下段部に設けられた第１平坦部の上に新設下枠全体を沈みこませた状態で載置したから、新設下枠を土間の上部に大きく突出しないように取り付けることができる。したがって、化粧枠も新設下枠の高さに対応して取り付ければよいから、容易に取り付けることができる。
【００１６】
請求項３に係る発明によれば、新設下枠は、同じ構成の原下枠に形成された釘打ち込み用フィンを中途部で折り取って残った部分を垂下部としたものであるから、原下枠が他の用途、例えば同じ勝手口のフロア納まりのドア枠のリフォームのために製造された下枠で、釘打ちフィンを有するものであれば、両下枠を兼用することができる。
【００１７】
請求項４に係る発明によれば、ベース材の第２平坦部は既設下枠の上端と土間の上面に支持されてなるから、ベース材の支持強度は非常に高い。
【００１８】
請求項５に係る発明によれば、新設下枠を、その室内側の化粧枠に係止し、該化粧枠を土間の段差よりも室内側のビスによる割れが生じない位置にビス止め固定しているから、固定用のビスによって土間が割れることがなく、新設下枠を強固に固定することができる。しかも、化粧枠の高さに合わせて構成すればよいので、取り付けも容易である。
【００１９】
請求項６に係る発明によれば、上記化粧枠が新設下枠の取付部材を兼ねるから、新設下枠の取付部材を特別に設ける必要がない。
【発明を実施するための最良の形態】
【００２０】
図１及び図２において符号１は勝手口の土間で、コンクリート製の土間１の屋外側には段差２を介して一段低い下段部１ａが設けられ、該下段部１ａには土間納まりのドア枠の下枠３が設けられている。４はドアである。なお、土間１の開口部は土間１と上部材４０と左右の支柱４２とによって構成されている。また、３ａは上枠、３ｂは縦枠である。
【００２１】
下枠３は平坦部５と平坦部５の室内側から起立した起立片６とを備えている。平坦部５は図３に示されるように、土間１の下段部１ａの上面と面一で、平坦部５の屋外側の端部から下方に垂下片７が形成され、室内側の端部からは上記起立片６の基部から下方に延長する延長部８が形成されている。垂下片７の下端は土間１に埋設され、垂下片７の中途部から室内側に突出した突片１０と延長部８とは土間１の下段部１ａに設けられた凹部１１に納められている。
【００２２】
ここで、上記既設の下枠３を利用してリフォームする方法について説明すると、まず、上記既設下枠３と土間１の上部にベース材１２を取り付ける。
【００２３】
ベース材１２は、既設下枠３上に取り付けられる第１平坦部１３と、第１平坦部１３の室内側から起立した起立部１９と、起立部１９より室内側に延出する第２平坦部１４とを有してなるものである。そこで、図１、図４に示されるように、ベース材１２の第１平坦部１３を上記下枠３の平坦部５の上部に、第２平坦部１４を土間１の上部にそれぞれ配置する。このとき、第２平坦部１４は既設下枠３の起立片６の上端と土間１の上面に支持される。
【００２４】
その後、上記ベース材１２の上に新ドア枠を構成する新設下枠９を載置する。
【００２５】
新設下枠９には図３に示されるように、屋外側と室内側とにそれぞれ中空部１５、１６が設けられ、屋外側の中空部１５は低く、室内側の中空部１６は高くなっている。屋外側中空部１５の上面は平坦に形成され、上記中空部１５の屋外側の下端から水切り片１７が突出形成されている。また、上記中空部１５の室内側の端部から下方には垂下部１８が、室内側には水平の支持片２０が形成されている。室内側中空部１６の上部には合成樹脂製アングル材２１の受け部２２が形成され、受け部２２の屋外側には戸当り材２３の嵌合溝２４が形成されている。さらに、室内側中空部１６の室内側端部の下方には垂直の支持片２５が形成され、垂直の支持片２５の下端は上記水平の支持片２０と同じ高さで、室内側に屈曲するＬ字形の係止片２６が形成されている。
【００２６】
ベース材１２の上に新設下枠９を載置するにあたっては、図１と図４に示されるように、新設下枠９の下方に突出された垂下部１８を上記ベース材１２の起立部１９に屋外側から当接させ、上記水平の支持片２０と垂直の支持片２０をベース材１２の第２平坦部１４上に載置して支持させる。そして、上記新設下枠９とベース材１２とを上方からビス２７によって土間１に固着すればよい。なお、このとき垂下部１８と起立部１９とをビス（図示せず）によって一体的に結合してもよい。
【００２７】
最後に、新設下枠９の屋外側には、新設下枠９とベース材１２とが室内側に露出しないように、化粧枠２８を取り付ける。
【００２８】
なお、新設下枠９からビス２７を土間１の段差２の近傍に打ち込むと、土間１に割れが生じる可能性がある。そこで、化粧枠２８に新設下枠９の取付部材を兼用させてもよい。すなわち、化粧枠２８は２個の化粧枠材２８ａ、２８ｂから構成され、第１の化粧枠材２８ａは上端が開口した方形の部材で、その下端の屋外側にはＬ字形の係止片３１が形成されている。第２の化粧枠材２８ｂは第１の化粧枠材２８ａよりも少し高く、室内側に傾斜した斜面部３０を備えている。図１、図４に示されるように、第１の化粧枠材２８ａを下枠３の室内側に沿ってベース材１２の第２平坦部１４の上に配置し、上記係止片３１を新設下枠９の係止片２６に係止させる。また、新設下枠９の上部の室内側の面を化粧枠２８の屋外側の面に当接させる。そして、第１の化粧枠材２８ａと第２の化粧枠材２８ｂの上端開口部からビス３３を通し、ベース材１２の第２平坦部１４を貫通させて土間１にビス止めして固定する。上端開口部にはキャップ３４を被せる。さらに、第２の化粧枠２８を第１の化粧枠材２８ａの室内側に連続的に配置固定する。これによれば、化粧枠２８が新設下枠９の取付部材を兼用するとともに、新設下枠９を固定するためのビスの位置は土間１の段差２から離れるので、土間１に割れが発生することがない。なお、第１の化粧枠材２８ａと第２の化粧枠材２８ｂは一体に形成してもよい。
【００２９】
なおまた、図１及び図２において符号１２ａは上部ベース材、１２ｂは縦部ベース材を示し、９ａは新設上枠、９ｂは新設縦枠を示す。
【００３０】
ところで、上記新設下枠９は、図５〜図８に示されるように、フロア納まりのドア枠をリフォームするのに用いられる新設下枠９Ａと基本的構造はほとんど同じである。すなわち、フロア納まりのドア枠も、フロア１ａに既設の下枠３Ａを残し、その上にスペーサ３５ａ、３５ｂを介してベース材１２ａを設けて室内側部分をビスでフロア１Ａの屋外側の窓台４１に固定し、さらにベース材１２Ａの上に新設下枠９Ａを支持させ、ベース枠１２Ａの起立部１９と新設下枠９Ａの釘打込みフィン３４とをビス止めするとともに、室内側に化粧枠２８（樹脂部２８ｃと樹脂・金属複合部２８ｄとから構成されている）を配置し、アングル材２１の室内側の延長部２１ａを化粧枠２８の樹脂部２８ａ上に被せて固定したものである。
【００３１】
なお、図５及び図６において符号３ａ´は既設上枠、３ｂは既設縦枠を示す。また、符号１２ａは上部ベース材、１２ｂは縦部ベース材を示し、９ａは新設上枠、９ｂは新設縦枠である。
【００３２】
新設下枠９Ａも屋外側と室内側とにそれぞれ中空部１５、１６を設けるとともに、屋外側中空部１５の上面は平坦に形成され、上記中空部１５の屋外側の下端から水切り片１７が突出形成されている。また、上記中空部１６の室内側の端部から下方には垂下部１８が、室内側には水平の支持片２０が形成されている。室内側中空部１６の上部には合成樹脂製アングル材２１の受け部２２が形成され、受け部２２の屋外側には戸当り材の嵌合溝２４が形成されている。さらに、室内側中空部１６の室内側端部の下方には垂直の支持片２０が形成され、垂直の支持片２０の下端は上記水平の支持片２０と同じ高さで、室内側に屈曲するＬ字形の係止片２６が形成されている。
【００３３】
ただし、土間納まりのドア枠をリフォームする場合の新設下枠９には、図３、図４に示されるように、屋外側中空部１５の室内側の端部から下方には垂下部１８が垂下形成されているのに対し、上記フロア納まりの新設下枠９Ａの対応位置には垂下部１８の下に釘打ち用のフィン３４が延長形成されている点だけである。
【００３４】
このように、通常のフロア納まりの下枠９Ａには釘打ちフィン３４が形成されているから、これを原下枠として釘打ちフィン３４を途中で折り取ることにより、土間納まり用の新設下枠９Ａの垂下部１８を形成することができる。このため、土間納まりのリフォーム用に特別に専用の下枠を製造する必要がない。
【００３５】
上述のように、上記構成のリフォーム方法またその構造によれば、土間１の段差２を利用してベース材１２の第１平坦部１３を既設下枠３の上部に、第２平坦部１４を土間１の上部にそれぞれ配置し、土間１の低い下段部１ａに設けられた第１平坦部１３の上に新設下枠９全体を沈みこませた状態で載置したから、新設下枠９を土間１の上部に大きく突出しないように取り付けることができる。したがって、化粧枠２８も新設下枠９の高さに対応して取り付ければよいから、容易に取り付けることができる。
【００３６】
また、新設下枠９は、同じ構成の原下枠３に形成された釘打ち込み用フィンを中途部で折り取って残った部分を垂下部１８としたものであるから、原下枠３が他の用途、例えば同じ勝手口のフロア納まりのドア枠のリフォームのために製造された下枠３で、釘打ちフィンを有するものであれば、両下枠３を兼用することができる。
【００３７】
すなわち、フロア納まりのドア枠とドア納まりのドア枠とでは、ドアを受ける点では共通するが、フロア納まりの下枠３は高さが高く形成されているのに対し、土間納まりの下枠３の高さは高くすることができない。これに対応して、フロア納まり用の新設下枠９を土間納まりに使用するときは、土間１の低い下段部１ａに設けられたベース材１２の第１平坦部１３の上に新設下枠９全体を沈みこませた状態で載置したから、新設下枠９は低い納まりとなる。したがって、新設下枠９をフロア納まりと土間納まりの両方に使用することができる
さらに、ベース材１２の第２平坦部１４は既設下枠３の上端と土間１の上面に支持されてなるから、ベース材１２の支持強度は非常に高い。
【００３８】
加えて、新設下枠９を、その室内側の化粧枠２８に係止し、該化粧枠２８を土間１の段差２よりも室内側のビスによる割れが生じない位置にビス止め固定しているから、固定用のビスによって土間１が割れることがなく、新設下枠９を強固に固定することができる。しかも、化粧枠２８の高さに合わせて構成すればよいので、取り付けも容易である。
【００３９】
また、上記化粧枠２８が新設下枠９の取付部材を兼ねるから、新設下枠９の取付部材を特別に設ける必要がない。
【００４０】
なお、既設下枠３Ａの上にベース材１２Ａを載置させるときは、直接に載置するものに限定されず、スペーサ３６ａ、３６ｂを介して載置してもよい。ベース材１２の上に新設ドア枠を取り付ける場合も同様である。
【図面の簡単な説明】
【００４１】
【図１】本発明に係る土間のリフォーム構造の要部の縦断面図
【図２】上記要部の横断面図
【図３】図１の要部の拡大図
【図４】図３の分解図
【図５】フロア納まりの下枠のリフォーム構造の要部の縦断面図
【図６】上記要部の横断面図
【図７】図５の一部の拡大図
【図８】図７の分解図
【符号の説明】
【００４２】
１    土間
３    既設下枠
９    新設下枠
１２  ベース材
１３  第１平坦部
１４  第２平坦部
１８  垂下部
【図１】
2009091817.tif 000003
【図２】
2009091817.tif 000004
【図３】
2009091817.tif 000005
【図４】
2009091817.tif 000006
【図５】
2009091817.tif 000007
【図６】
2009091817.tif 000008
【図７】
2009091817.tif 000009
【図８】
2009091817.tif 000010